【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
情報家電と広告配信サーバとの間に配置され、前記情報家電及び前記広告配信サーバに対して通信可能に接続されたゲートウェイであって、
ユーザによる前記情報家電に対する操作に応じて送信される操作信号を受信する操作信号受信部と、
受信した前記操作信号に基づき、前記情報家電を特定する機器ＩＤを含む機器操作情報を作成する機器操作情報作成部と、
作成された前記機器操作情報を、前記広告配信サーバに送信する機器操作情報送信部と、
前記機器操作情報に応じた広告データを、前記機器ＩＤと共に前記広告配信サーバから受信する広告データ受信部と、
受信した前記広告データを、通信手順を変換した後に、前記機器ＩＤに基づいて所定の情報家電に送信する広告データ送信部と、
を備えるゲートウェイ。
【請求項２】
情報家電と広告配信サーバとの間に配置され、前記情報家電及び前記広告配信サーバに対して通信可能に接続されたゲートウェイであって、
前記情報家電に表示させるための広告データを、予め前記広告配信サーバから受信して記憶する広告データ記憶部と、
ユーザによる前記情報家電に対する操作に応じて送信される操作信号を受信する操作信号受信部と、
受信した前記操作信号に含まれる前記情報家電を特定する機器ＩＤに基づき、前記広告データ記憶部から前記広告データを抽出する広告データ抽出部と、
抽出された前記広告データを、前記機器ＩＤに基づいて所定の情報家電に送信する広告データ送信部と、
を備えるゲートウェイ。
【請求項３】
前記広告データ記憶部は、所定のタイミングで前記広告配信サーバから受信した前記広告データを記憶すること、
を特徴とする請求項２に記載のゲートウェイ。
【請求項４】
前記広告データ抽出部は、前記機器ＩＤに基づいて前記情報家電の操作に関連する前記広告データを、前記広告データ記憶部から抽出すること、
を特徴とする請求項２又は請求項３に記載のゲートウェイ。
【請求項５】
前記操作信号受信部は、ＧＥＮＡ（ｇｅｎｅｒａｌ  ｅｖｅｎｔ  ｎｏｔｉｆｉｃａｔｉｏｎ  ａｒｃｈｉｔｅｃｔｕｒｅ）プロトコルを用いてデバイス変更通知の情報を受信すること、
を特徴とする請求項１から請求項４のいずれかに記載のゲートウェイ。
【請求項６】
前記広告データは、前記情報家電が備える表示部に表示可能なコンテンツであること、
を特徴とする請求項１から請求項５のいずれかに記載のゲートウェイ。
【請求項７】
前記操作信号受信部は、前記ユーザによる前記情報家電に対する操作の後、前記情報家電での制御に応じて送信される制御信号を操作信号として受信すること、
を特徴とする請求項１から請求項６のいずれかに記載のゲートウェイ。
【請求項８】
前記広告データ送信部は、前記操作信号を送信した前記情報家電に、前記広告データを送信すること、
を特徴とする請求項１から請求項７のいずれかに記載のゲートウェイ。
【請求項９】
前記広告データ送信部は、前記操作信号を送信した前記情報家電が表示部を備えない場合には、前記情報家電とは異なる表示部を備えた他の情報家電に、前記広告データを送信すること、
を特徴とする請求項１から請求項７のいずれかに記載のゲートウェイ。
【請求項１０】
情報家電と、広告配信サーバと、前記情報家電及び前記広告配信サーバに対して通信可能に接続されたゲートウェイと、を備える広告配信システムであって、
前記ゲートウェイは、
ユーザによる前記情報家電に対する操作に応じて送信される操作信号を受信する操作信号受信部と、
受信した前記操作信号に基づき、前記情報家電を特定する機器ＩＤを含む機器操作情報を作成する機器操作情報作成部と、
作成された前記機器操作情報を、前記広告配信サーバに送信する機器操作情報送信部と、
を備え、
前記広告配信サーバは、
前記情報家電の情報を記憶した機器情報データベースと、
広告データの配信条件を記憶した配信条件データベースと、
前記広告データを記憶した広告データベースと、
を有し、
前記ゲートウェイから前記機器操作情報を受信する機器操作情報受信部と、
受信した前記機器操作情報に基づき、前記機器情報データベースを用いて前記情報家電を特定し、前記配信条件データベースから前記配信条件を読み出す配信条件読出部と、
読み出した前記配信条件に基づき、前記広告データベースから前記広告データを抽出して、受信した前記機器操作情報に含む前記機器ＩＤと共に前記ゲートウェイに送信する広告データ配信部と、
を備え、
前記ゲートウェイは、
前記広告データを、前記機器ＩＤと共に前記広告配信サーバから受信する広告データ受信部と、
受信した前記広告データを、通信手順を変換した後に、前記機器ＩＤに基づいて所定の情報家電に送信する広告データ送信部と、
を備える広告配信システム。
【請求項１１】
情報家電と、広告配信サーバと、前記情報家電及び前記広告配信サーバに対して通信可能に接続されたゲートウェイと、を備える広告配信システムであって、
前記広告配信サーバは、
前記情報家電の情報を記憶した機器情報データベースと、
広告データの配信条件を記憶した配信条件データベースと、
前記広告データを記憶した広告データベースと、
を有し、
前記ゲートウェイから前記広告データの要求信号を受信する広告データ要求信号受信部と、
受信した前記要求信号に基づき、前記機器情報データベースを用いて所定の前記情報家電を選択し、前記配信条件データベースから前記配信条件を抽出し、前記配信条件に基づき、前記広告データベースから前記広告データを抽出する要求抽出部と、
抽出した前記配信条件及び前記広告データを要求データとして、前記ゲートウェイに送信する要求データ配信部と、
を備え、
前記ゲートウェイは、
前記広告配信サーバから受信した前記要求データを記憶する広告データ記憶部と、
ユーザによる前記情報家電に対する操作に応じて送信される操作信号を受信する操作信号受信部と、
受信した前記操作信号に含まれる前記情報家電を特定する機器ＩＤに基づき、前記広告データ記憶部から前記広告データを抽出する広告データ抽出部と、
抽出された前記広告データを、前記機器ＩＤに基づいて所定の情報家電に送信する広告データ送信部と、
を備える広告配信システム。
【請求項１２】
情報家電と広告配信サーバとの間に配置され、前記情報家電及び前記広告配信サーバに対して通信可能に接続されたゲートウェイで実行されるゲートウェイプログラムであって、
前記ゲートウェイに、
ユーザによる前記情報家電に対する操作に応じて送信される操作信号を受信するステップと、
受信した前記操作信号に基づき、前記情報家電を特定する機器ＩＤを含む機器操作情報を作成するステップと、
作成された前記機器操作情報を、前記広告配信サーバに送信するステップと、
前記機器操作情報に応じた広告データを、前記機器ＩＤと共に前記広告配信サーバから受信するステップと、
受信した前記広告データを、通信手順を変換した後に、前記機器ＩＤに基づいて所定の情報家電に送信するステップと、
を実行させるためのゲートウェイプログラム。
【請求項１３】
情報家電と広告配信サーバとの間に配置され、前記情報家電及び前記広告配信サーバに対して通信可能に接続されたゲートウェイで実行されるゲートウェイプログラムであって、
前記ゲートウェイは、前記情報家電に表示させるための広告データを、予め前記広告配信サーバから受信して記憶する広告データ記憶部を備え、
前記ゲートウェイに、
ユーザによる前記情報家電に対する操作に応じて送信される操作信号を受信するステップと、
受信した前記操作信号に含まれる前記情報家電を特定する機器ＩＤに基づき、前記広告データ記憶部から前記広告データを抽出するステップと、
抽出された前記広告データを、前記機器ＩＤに基づいて所定の情報家電に送信するステップと、
を実行させるためのゲートウェイプログラム。
【請求項１４】
情報家電と広告配信サーバとの間に配置され、前記情報家電及び前記広告配信サーバに対して通信可能に接続されたゲートウェイによって実行される広告配信方法であって、
ユーザによる前記情報家電に対する操作に応じて送信される操作信号を受信するステップと、
受信した前記操作信号に含まれる前記情報家電を特定する機器ＩＤに基づいて広告データを取得するステップと、
取得した前記広告データを、前記機器ＩＤに基づいて所定の情報家電に送信するステップと、
を含む広告配信方法。
【手続補正２】
【補正対象書類名】明細書
【補正対象項目名】全文
【補正方法】変更
【補正の内容】
【発明の詳細な説明】
【発明の名称】情報家電に対して広告を配信するゲートウェイ、広告配信システム、ゲートウェイプログラム及び広告配信方法
【技術分野】
【０００１】
本発明は、各機器に対して広告を配信するゲートウェイ、広告配信システム、ゲートウェイプログラム及び広告配信方法に関する。
【背景技術】
【０００２】
近年、家庭内に設置される通信機能を備えた情報家電が普及している。そして、この情報家電を利用した広告配信システムが開示されている（例えば、特許文献１）。特許文献１に記載の広告配信システムは、広告サービスに加入したユーザのユーザ情報と、このユーザの所有する家電機器の情報とを記憶したデータベースを有し、登録した家電機器からの広告の要求に際して、その家電機器の属性と一致する広告の情報をデータベースから取得する広告管理サーバと、広告管理サーバとネットワークを介して接続され送信された広告を出力する家電機器とを備える。
【特許文献１】特開２００２−３１１８７０号公報
【発明の開示】
【発明が解決しようとする課題】
【０００３】
特許文献１に記載の広告配信システムでは、家電機器が予め設定された時間間隔で周期的に広告管理サーバに対して広告要求を自動送信したり、ユーザが広告の依頼を広告管理サーバに対して発信するためのマニュアル操作キーを操作することで家電機器から広告要求を送信したりするものであり、広告を配信するタイミングやユーザが欲する広告との関連性に問題があった。
【０００４】
そこで、本発明は、広告を配信するタイミングやユーザが欲する広告との関連性を考慮した、優れた技術を提供することを課題とする。
【課題を解決するための手段】
【０００５】
本発明者は、広告を配信するタイミングとしてユーザによる情報家電の操作に着目し、本発明を完成するに至った。本発明は、具体的には次のようなものを提供する。
【０００６】
（１）  情報家電と広告配信サーバとの間に配置され、前記情報家電及び前記広告配信サーバに対して通信可能に接続されたゲートウェイであって、
ユーザによる前記情報家電に対する操作に応じて送信される操作信号を受信する操作信号受信部と、
受信した前記操作信号に基づき、前記情報家電を特定する機器ＩＤを含む機器操作情報を作成する機器操作情報作成部と、
作成された前記機器操作情報を、前記広告配信サーバに送信する機器操作情報送信部と、
前記機器操作情報に応じた広告データを、前記機器ＩＤと共に前記広告配信サーバから受信する広告データ受信部と、
受信した前記広告データを、通信手順を変換した後に、前記機器ＩＤに基づいて所定の情報家電に送信する広告データ送信部と、
を備えるゲートウェイ。
【０００７】
本発明のこのような構成によれば、ユーザによる情報家電の操作に応じて、情報家電から送信される操作信号から機器操作情報を作成して広告配信サーバに送信することができる。よって、情報家電でのユーザの操作に応じて広告データを要求することができる。また、広告配信サーバにおいて、ユーザの操作に着目した広告データを格納することで、ユーザが欲する広告データを得ることができる。さらに、広告データを通信手順を変換して、所定の情報家電に広告データを送信するので、プロトコルが異なる場合においてもデータの送受信を行うことができる。
【０００８】
また、ユーザによる情報家電の操作に応じて、広告配信サーバに広告データの要求をし、受信した広告データを所定の情報家電に送信するので、ユーザの操作に応じて、リアルタイムに広告データを情報家電に送信することができる。
【０００９】
（２）  情報家電と広告配信サーバとの間に配置され、前記情報家電及び前記広告配信サーバに対して通信可能に接続されたゲートウェイであって、
前記情報家電に表示させるための広告データを、予め前記広告配信サーバから受信して記憶する広告データ記憶部と、
ユーザによる前記情報家電に対する操作に応じて送信される操作信号を受信する操作信号受信部と、
受信した前記操作信号に含まれる前記情報家電を特定する機器ＩＤに基づき、前記広告データ記憶部から前記広告データを抽出する広告データ抽出部と、
抽出された前記広告データを、前記機器ＩＤに基づいて所定の情報家電に送信する広告データ送信部と、
を備えるゲートウェイ。
【００１０】
本発明のこのような構成によれば、広告データを予めゲートウェイに記憶しておくので、ゲートウェイと広告配信サーバとの間の通信を行わずに、ユーザによる情報家電の操作に応じて、情報家電から送信される操作信号により、情報家電は所定の広告データを受信することができる。よって、ゲートウェイと広告配信サーバとの間のトラフィックを意識することなく、ゲートウェイは、情報家電に迅速に広告データの送信をすることができる。
【００１１】
（３）  前記広告データ記憶部は、所定のタイミングで前記広告配信サーバから受信した前記広告データを記憶すること、
を特徴とする（２）に記載のゲートウェイ。
【００１２】
本発明のこのような構成によれば、所定のタイミングで広告データを受信して記憶するので、陳腐化した広告データを配信するのを防ぐことができる。
【００１３】
（４）  前記広告データ抽出部は、前記機器ＩＤに基づいて前記情報家電の操作に関連する前記広告データを、前記広告データ記憶部から抽出すること、
を特徴とする（２）又は（３）に記載のゲートウェイ。
【００１４】
本発明のこのような構成によれば、情報家電を一意に示す機器ＩＤに基づき、広告データを抽出するので、例えば、表示画面の大きさ等の情報家電の特性に応じた広告データを抽出することができる。
【００１５】
（５）  前記操作信号受信部は、ＧＥＮＡ（ｇｅｎｅｒａｌ  ｅｖｅｎｔ  ｎｏｔｉｆｉｃａｔｉｏｎ  ａｒｃｈｉｔｅｃｔｕｒｅ）プロトコルを用いてデバイス変更通知の情報を受信すること、
を特徴とする（１）から（４）のいずれかに記載のゲートウェイ。
【００１６】
本発明のこのような構成によれば、ＧＥＮＡプロトコルを用いて操作信号を受信するので、既存の手法を用いることで、ユーザの情報家電に対する操作に応じて広告データを送信する環境を、簡易に構築することができる。
【００１７】
（６）  前記広告データは、前記情報家電が備える表示部に表示可能なコンテンツであること、
を特徴とする（１）から（５）のいずれかに記載のゲートウェイ。
【００１８】
本発明のこのような構成によれば、広告データは表示部に表示可能なコンテンツであるため、広告データを情報家電の表示部に表示することができる。
【００１９】
（７）  前記操作信号受信部は、前記ユーザによる前記情報家電に対する操作の後、前記情報家電での制御に応じて送信される制御信号を操作信号として受信すること、
を特徴とする（１）から（６）のいずれかに記載のゲートウェイ。
【００２０】
本発明のこのような構成によれば、ユーザの操作により情報家電が処理を行った後に、情報家電が送信した操作信号を受信して広告データを送信するので、情報家電の処理に応じて広告データを送信することができる。
【００２１】
（８）  前記広告データ送信部は、前記操作信号を送信した前記情報家電に、前記広告データを送信すること、
を特徴とする（１）から（７）のいずれかに記載のゲートウェイ。
【００２２】
本発明のこのような構成によれば、操作信号を送信した情報家電に広告データを送信するので、ユーザがより広告データを見やすい環境に、広告データを送信することができる。
【００２３】
（９）  前記広告データ送信部は、前記操作信号を送信した前記情報家電が表示部を備えない場合には、前記情報家電とは異なる表示部を備えた他の情報家電に、前記広告データを送信すること、
を特徴とする（１）から（７）のいずれかに記載のゲートウェイ。
【００２４】
本発明のこのような構成によれば、操作信号を送信した情報家電に表示部を備えない場合には、表示部を備えた他の情報家電に広告データを送信するので、表示部がない情報家電に対する操作であっても、広告データを送信することができる。
【００２５】
（１０）  情報家電と、広告配信サーバと、前記情報家電及び前記広告配信サーバに対して通信可能に接続されたゲートウェイと、を備える広告配信システムであって、
前記ゲートウェイは、
ユーザによる前記情報家電に対する操作に応じて送信される操作信号を受信する操作信号受信部と、
受信した前記操作信号に基づき、前記情報家電を特定する機器ＩＤを含む機器操作情報を作成する機器操作情報作成部と、
作成された前記機器操作情報を、前記広告配信サーバに送信する機器操作情報送信部と、
を備え、
前記広告配信サーバは、
前記情報家電の情報を記憶した機器情報データベースと、
広告データの配信条件を記憶した配信条件データベースと、
前記広告データを記憶した広告データベースと、
を有し、
前記ゲートウェイから前記機器操作情報を受信する機器操作情報受信部と、
受信した前記機器操作情報に基づき、前記機器情報データベースを用いて前記情報家電を特定し、前記配信条件データベースから前記配信条件を読み出す配信条件読出部と、
読み出した前記配信条件に基づき、前記広告データベースから前記広告データを抽出して、受信した前記機器操作情報に含む前記機器ＩＤと共に前記ゲートウェイに送信する広告データ配信部と、
を備え、
前記ゲートウェイは、
前記広告データを、前記機器ＩＤと共に前記広告配信サーバから受信する広告データ受信部と、
受信した前記広告データを、通信手順を変換した後に、前記機器ＩＤに基づいて所定の情報家電に送信する広告データ送信部と、
を備える広告配信システム。
【００２６】
（１１）  情報家電と、広告配信サーバと、前記情報家電及び前記広告配信サーバに対して通信可能に接続されたゲートウェイと、を備える広告配信システムであって、
前記広告配信サーバは、
前記情報家電の情報を記憶した機器情報データベースと、
広告データの配信条件を記憶した配信条件データベースと、
前記広告データを記憶した広告データベースと、
を有し、
前記ゲートウェイから前記広告データの要求信号を受信する広告データ要求信号受信部と、
受信した前記要求信号に基づき、前記機器情報データベースを用いて所定の前記情報家電を選択し、前記配信条件データベースから前記配信条件を抽出し、前記配信条件に基づき、前記広告データベースから前記広告データを抽出する要求抽出部と、
抽出した前記配信条件及び前記広告データを要求データとして、前記ゲートウェイに送信する要求データ配信部と、
を備え、
前記ゲートウェイは、
前記広告配信サーバから受信した前記要求データを記憶する広告データ記憶部と、
ユーザによる前記情報家電に対する操作に応じて送信される操作信号を受信する操作信号受信部と、
受信した前記操作信号に含まれる前記情報家電を特定する機器ＩＤに基づき、前記広告データ記憶部から前記広告データを抽出する広告データ抽出部と、
抽出された前記広告データを、前記機器ＩＤに基づいて所定の情報家電に送信する広告データ送信部と、
を備える広告配信システム。
【００２７】
（１２）  情報家電と広告配信サーバとの間に配置され、前記情報家電及び前記広告配信サーバに対して通信可能に接続されたゲートウェイで実行されるゲートウェイプログラムであって、
前記ゲートウェイに、
ユーザによる前記情報家電に対する操作に応じて送信される操作信号を受信するステップと、
受信した前記操作信号に基づき、前記情報家電を特定する機器ＩＤを含む機器操作情報を作成するステップと、
作成された前記機器操作情報を、前記広告配信サーバに送信するステップと、
前記機器操作情報に応じた広告データを、前記機器ＩＤと共に前記広告配信サーバから受信するステップと、
受信した前記広告データを、通信手順を変換した後に、前記機器ＩＤに基づいて所定の情報家電に送信するステップと、
を実行させるためのゲートウェイプログラム。
【００２８】
（１３）  情報家電と広告配信サーバとの間に配置され、前記情報家電及び前記広告配信サーバに対して通信可能に接続されたゲートウェイで実行されるゲートウェイプログラムであって、
前記ゲートウェイは、前記情報家電に表示させるための広告データを、予め前記広告配信サーバから受信して記憶する広告データ記憶部を備え、
前記ゲートウェイに、
ユーザによる前記情報家電に対する操作に応じて送信される操作信号を受信するステップと、
受信した前記操作信号に含まれる前記情報家電を特定する機器ＩＤに基づき、前記広告データ記憶部から前記広告データを抽出するステップと、
抽出された前記広告データを、前記機器ＩＤに基づいて所定の情報家電に送信するステップと、
を実行させるためのゲートウェイプログラム。
【００２９】
（１４）  情報家電と広告配信サーバとの間に配置され、前記情報家電及び前記広告配信サーバに対して通信可能に接続されたゲートウェイによって実行される広告配信方法であって、
ユーザによる前記情報家電に対する操作に応じて送信される操作信号を受信するステップと、
受信した前記操作信号に含まれる前記情報家電を特定する機器ＩＤに基づいて広告データを取得するステップと、
取得した前記広告データを、前記機器ＩＤに基づいて所定の情報家電に送信するステップと、
を含む広告配信方法。
【発明の効果】
【００３０】
本発明によれば、広告配信サーバにおいて、ユーザの操作に着目した広告データを格納し、情報家電でのユーザの操作に応じて広告データを要求することで、ユーザが欲する広告データを得ることができる。また、広告データを、通信手順を変換した後に、所定の情報家電に送信するので、プロトコルが異なる場合においてもデータの送受信を行うことができる。
【発明を実施するための最良の形態】
【００３１】
以下、本発明を実施するための最良の形態について図を参照しながら説明する。なお、これはあくまでも一例であって、本発明の技術的範囲はこれに限られるものではない。
【００３２】
（第１実施形態）
［広告配信システム１００の全体構成］
図１は、第１実施形態に係る広告配信システム１００の全体構成を示す図である。
【００３３】
広告配信システム１００は、ゲートウェイ１と、広告配信サーバ２と、通信ネットワーク３と、家庭内ネットワーク５と、情報家電７とにより構成される。ゲートウェイ１は、インターネット等の通信回線に代表される通信ネットワーク３を介して、広告配信サーバ２に通信可能に接続される。また、図１に示すように、家屋９には、ゲートウェイ１と、情報家電７とが設置されている。そして、ゲートウェイ１は、家庭内の無線ＬＡＮ等の家庭内ネットワーク５を介して、情報家電７に通信可能に接続される。
【００３４】
情報家電７とは、ネットワーク接続機能を備えた家電機器や設備機器をいい、例えば、テレビ７Ａ、冷蔵庫７Ｂ、オーディオ７Ｃ、洗濯機７Ｄを含む。これらの情報家電７は、家庭内ネットワーク５を介して、ゲートウェイ１と通信する機能を備える。なお、本実施形態では、テレビ７Ａはディスプレイ８Ａを、冷蔵庫７Ｂは表示部８Ｂを、オーディオ７Ｃは表示部８Ｃを、それぞれ有する。
【００３５】
情報家電７とゲートウェイ１とを相互に接続する家庭内ネットワーク５は、例えば、ＤＬＮＡ（Ｄｉｇｉｔａｌ  Ｌｉｖｉｎｇ  Ｎｅｔｗｏｒｋ  Ａｌｌｉａｎｃｅ）に準拠した通信を行い、有線でも無線でもよい。より具体的には、ＵＰｎＰ（Ｕｎｉｖｅｒｓａｌ  Ｐｌｕｇ  ａｎｄ  Ｐｌａｙ）の既存のプロトコルの集合体を利用して通信を行う。ＵＰｎＰは、家庭内の情報家電７をネットワークを通じて接続し、相互に機能を提供しあうための技術仕様である。ＵＰｎＰは、デバイスを発見するプロトコルであるＳＳＤＰ（ｓｉｍｐｌｅ  ｓｅｒｖｉｃｅ  ｄｉｓｃｏｖｅｒｙ  ｐｒｏｔｏｃｏｌ）や、デバイス変更を通知するプロトコルであるＧＥＮＡ（ｇｅｎｅｒａｌ  ｅｖｅｎｔ  ｎｏｔｉｆｉｃａｔｉｏｎ  ａｒｃｈｉｔｅｃｔｕｒｅ）を有する。
【００３６】
［広告配信システム１００の各装置の機能構成］
図２は、第１実施形態に係る広告配信システム１００の各装置の機能構成を示す図である。
【００３７】
ゲートウェイ１は、制御部１０と記憶部２０とを備える。制御部１０は、操作信号受信部１１と、機器操作情報作成部１２と、機器操作情報送信部１３と、広告データ受信部１４と、広告データ送信部１５とを備える。また、記憶部２０は、ゲートウェイプログラム２１と一時記憶領域２２とを備え、ゲートウェイプログラム２１は、プロトコル変換プログラム２１Ａを含む。プロトコル変換プログラム２１Ａは、家庭内ネットワーク５を介して受信した各種データを、通信ネットワーク３を介して広告配信サーバ２に送信したり、通信ネットワーク３を介して受信した各種データを、家庭内ネットワーク５を介して情報家電７に送信したりするために、プロトコルを相互に変換するプログラムである。一時記憶領域２２は、各種処理のために一時的に記憶する領域であり、例えば、電源がオンとなっている情報家電７の情報を記憶する。
【００３８】
操作信号受信部１１は、例えば、ユーザが情報家電７を操作することで、情報家電７から送信される操作信号を受信する。機器操作情報作成部１２は、受信した操作信号に基づき、情報家電７を特定する機器ＩＤを含む機器操作情報を作成する。機器ＩＤとは、情報家電７に一意に割り当てられたＩＤをいう。機器操作情報とは、機器ＩＤと操作の内容とを含む情報をいい、操作の内容とは、例えば、電源がオンになった等をいう。機器操作情報送信部１３は、作成された機器操作情報をプロトコル変換して、通信ネットワーク３を介して広告配信サーバ２に送信する。広告データ受信部１４は、広告配信サーバ２から通信ネットワーク３を介して広告データを受信する。広告データ送信部１５は、広告データを、機器ＩＤに基づいて情報家電７に送信する。
【００３９】
広告配信サーバ２は、制御部３０と記憶部４０とを備える。制御部３０は、機器操作情報受信部３１と、配信条件読出部３２と、広告データ配信部３３とを備える。また、記憶部４０は、機器情報ＤＢ（データベース）４２と、配信条件ＤＢ４４と、広告ＤＢ４６とを備える。なお、広告配信サーバ２のハードウェアの数に制限はなく、必要に応じて１又は複数のハードウェアで構成してよい。また、複数のハードウェアで構成する場合には、通信ネットワーク３を介して各ハードウェアを接続してもよい。
【００４０】
機器操作情報受信部３１は、通信ネットワーク３を介してゲートウェイ１から機器操作情報を受信する。配信条件読出部３２は、配信条件ＤＢ４４を用いて配信条件を読み出す。広告データ配信部３３は、配信条件により選択された広告データを、通信ネットワーク３を介してゲートウェイ１に配信する。記憶部４０に備える各ＤＢの内容については後述する。
【００４１】
情報家電７は、制御部５０と、表示部８と、操作部５１と、通信部５２と、記憶部５３とを備える。制御部５０は、ＣＰＵ（Ｃｅｎｔｒａｌ  Ｐｒｏｃｅｓｓｉｎｇ  Ｕｎｉｔ）を有し、情報家電７全体の制御を行う。表示部８は、情報家電７の機能に関する表示を行う他に、広告を表示する。表示部８は、ブラウン管表示装置（ＣＲＴ）、液晶表示装置（ＬＣＤ）等のディスプレイ装置を含む。操作部５１は、ユーザにより情報家電７の操作を行うための、例えばスイッチ、ボタンやレバー等を指す。通信部５２は、家庭内ネットワーク５との通信を行うために用いられる。記憶部５３は、情報家電７を機能させるための各種プログラムを格納するものであり、一時記憶領域をも含む概念である。
【００４２】
［ゲートウェイ１のハードウェア構成図］
図３は、第１実施形態に係るゲートウェイ１のハードウェア構成を示す図である。本発明が実施されるサーバは標準的なものでよく、以下に構成の一例を示す。
【００４３】
ゲートウェイ１は、制御部１０を構成するＣＰＵ３１０（マルチプロセッサ構成ではＣＰＵ３２０等複数のＣＰＵが追加されてもよい）、バスライン４９０、通信Ｉ／Ｆ（Ｉ／Ｆ：インターフェイス）３３０、メインメモリ３４０、ＢＩＯＳ（Ｂａｓｉｃ  Ｉｎｐｕｔ  Ｏｕｔｐｕｔ  Ｓｙｓｔｅｍ）３５０、表示装置３６０、Ｉ／Ｏコントローラ３７０、キーボード及びマウス等の入力装置３８０、ハードディスク３９０、光ディスクドライブ４００並びに半導体メモリ４２０を備える。なお、ハードディスク３９０、光ディスクドライブ４００及び半導体メモリ４２０をまとめて記憶部２０と呼ぶ。
【００４４】
制御部１０は、ゲートウェイ１を統括的に制御する部分であり、ハードディスク３９０に記憶された各種プログラムを適宜読み出して実行することにより、上述したハードウェアと協働し、本発明に係る各種機能を実現している。
【００４５】
通信Ｉ／Ｆ３３０は、ゲートウェイ１が、上述した通信ネットワーク３を介して広告配信サーバ２と情報を送受信し、上述した家庭内ネットワーク５を介して情報家電７と情報を送受信する場合のネットワーク・アダプタである。通信Ｉ／Ｆ３３０は、モデム、ケーブル・モデム及びイーサネット（登録商標）・アダプタを含んでよい。
【００４６】
ＢＩＯＳ３５０は、ゲートウェイ１の起動時にＣＰＵ３１０が実行するブートプログラムや、ゲートウェイ１のハードウェアに依存するプログラム等を記録する。
【００４７】
表示装置３６０は、ブラウン管表示装置（ＣＲＴ）、液晶表示装置（ＬＣＤ）等のディスプレイ装置を含む。
【００４８】
Ｉ／Ｏコントローラ３７０には、ハードディスク３９０、光ディスクドライブ４００及び半導体メモリ４２０等の記憶装置である記憶部２０を接続することができる。
【００４９】
入力装置３８０は、ゲートウェイ１の管理者による入力の受け付けを行うものである。
【００５０】
ハードディスク３９０は、本ハードウェアをゲートウェイ１として機能させるための各種プログラム、本発明の機能を実行するプログラム及び後述するテーブル及びレコードを記憶する。なお、ゲートウェイ１は、外部に別途設けたハードディスク（図示せず）を外部記憶装置として利用することもできる。
【００５１】
光ディスクドライブ４００としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は、各ドライブに対応した光ディスク４１０を使用する。光ディスク４１０から光ディスクドライブ４００によりプログラム又はデータを読み取り、Ｉ／Ｏコントローラ３７０を介してメインメモリ３４０又はハードディスク３９０に提供することもできる。
【００５２】
なお、本発明でいうコンピュータとは、記憶装置、制御部等を備えた情報処理装置をいい、ゲートウェイ１は、記憶部２０、制御部１０等を備えた情報処理装置により構成され、この情報処理装置は、本発明のコンピュータの概念に含まれる。
【００５３】
［広告配信サーバ２のハードウェア構成］
広告配信サーバ２も、上述のゲートウェイ１と同様な構成を持つ。広告配信サーバ２は、記憶部４０、制御部３０等を備えた情報処理装置により構成され、この情報処理装置は、本発明のコンピュータの概念に含まれる。
【００５４】
［広告配信処理のフローチャート］
図４は、第１実施形態に係る広告配信処理のフローチャートである。また、図５から図７は、図４のフローチャートの説明において適宜説明する。図５は、第１実施形態に係るＧＥＮＡによるＵＰｎＰのデバイス変更通知の例を示す図である。図６は、第１実施形態に係る機器情報ＤＢ４２及び配信条件ＤＢ４４を示す図である。図７は、第１実施形態に係る広告ＤＢ４６を示す図である。
【００５５】
図４のＳ１００：情報家電７の制御部５０は、ユーザが操作部５１を操作したことにより情報家電７への操作を受け付ける。
【００５６】
Ｓ１１０：情報家電７の制御部５０は、操作を受け付けたことで生じた内部状態の変更内容として操作信号をゲートウェイ１に送信する。
【００５７】
Ｓ１２０：ゲートウェイ１の操作信号受信部１１は、ユーザの操作により情報家電７から送信された操作信号を受信する。具体的には、ＵＰｎＰのデバイス変更通知機能（ＧＥＮＡ）に基づき、情報家電７から送信される操作信号を受信する。
【００５８】
ここで、情報家電７から送信される操作信号に関する例を説明する。まず、図５（ａ）では、予めゲートウェイ１は、情報家電７（図５の例では、テレビ７Ａ）に対して、ＧＥＮＡの要求信号を送信する。ＧＥＮＡの要求信号には、ゲートウェイ１のＨＴＴＰサーバ情報を指定している（＃１）。これにより、テレビ７Ａは、ゲートウェイ１の位置情報を認識できるため、テレビ７Ａの内部状態が変更した場合には、変更内容の情報が、ゲートウェイ１に送信される。テレビ７Ａは、ＧＥＮＡの要求信号を受信した旨をゲートウェイ１に返信する。
【００５９】
そして、例えば、テレビ７Ａにおいて、ユーザが電源をオンにした（操作を行った）場合、図５（ｂ）に示すように、テレビ７Ａを一意に示す機器ＩＤ（＃２）と共に、テレビ７Ａは、その変更内容の情報としてＧＥＮＡの通知信号をゲートウェイ１に送信する。ゲートウェイ１は、ＧＥＮＡの通信信号を受信した旨を返信する。
【００６０】
図４に戻り、Ｓ１３０：ゲートウェイ１の機器操作情報作成部１２は、受信した操作信号から機器操作情報を作成する。その際、通信ネットワーク３を介した通信を行えるように、機器操作情報作成部１２は、通信手順を変換して機器操作情報を作成する。機器操作情報は、広告配信サーバ２へ送信する情報であり、情報家電７を特定する機器ＩＤを含む。
【００６１】
Ｓ１４０：ゲートウェイ１の機器操作情報送信部１３は、作成した機器操作情報を広告配信サーバ２に送信する。
【００６２】
Ｓ１５０：広告配信サーバ２の機器操作情報受信部３１は、ゲートウェイ１から送信された機器操作情報を受信する。
【００６３】
Ｓ１６０：広告配信サーバ２の配信条件読出部３２は、機器操作情報に基づき、機器情報ＤＢ４２から機器を特定し、配信条件ＤＢ４４から配信条件を読み出す。
【００６４】
ここで、機器情報ＤＢ４２を、図６（ａ）に基づき説明する。機器情報ＤＢ４２は、情報家電７を一意に特定する機器ＩＤをキー情報として、機器に関する情報を格納するデータベースである。
【００６５】
機器情報ＤＢ４２は、機器ＩＤ４２ａ、製品名４２ｂ、製品カテゴリ４２ｃ、製造年月４２ｄ、画面サイズ４２ｅ、画素数４２ｆ等を有する。機器ＩＤ４２ａには、情報家電７を一意に示すものであり、情報家電７の製造時に予め採られた識別記号である機器ＩＤが格納される。製品名４２ｂには、情報家電７の製品名であり、「○○社の××」（××はブランド名）等が格納される。製品カテゴリ４２ｃには、情報家電７のカテゴリであり、例えば、「テレビ」、「洗濯機」、「冷蔵庫」等の名称が格納される。製造年月４２ｄには、情報家電７の製造された年月が格納される。画面サイズ４２ｅには、情報家電７に表示部８を有する場合に、画面の大きさ（単位：インチ）が格納される。画素数４２ｆには、表示部８の画素数が格納される。機器情報ＤＢ４２には、その他、情報家電７の固有な情報を格納している。
【００６６】
配信条件ＤＢ４４を、図６（ｂ）に基づき説明する。配信条件ＤＢ４４は、広告データを一意に示す広告ＩＤをキーとして、製品カテゴリ及び配信条件を格納するデータベースである。
【００６７】
配信条件ＤＢ４４は、広告ＩＤ４４ａ、製品カテゴリ４４ｂ及び配信条件４４ｃを有する。広告ＩＤ４４ａには、広告データを一意に表す識別記号である広告ＩＤが格納される。製品カテゴリ４４ｂには、情報家電７のカテゴリが格納される。配信条件４４ｃには、広告を配信する条件が格納される。製品カテゴリ４４ｂ及び配信条件４４ｃのうちいずれか一方が設定されていなくてもよい。図６（ｂ）に示すもの以外に、例えば、配信条件４４ｃが送信元のＩＰアドレスであったり、時刻であったりしてもよい。また、配信条件がなく、製品カテゴリに応じて一律に広告を配信するものであってもよい。
【００６８】
図４に戻ってＳ１７０：広告配信サーバ２の広告データ配信部３３は、読み出した配信条件に合致する広告データを広告ＤＢ４６から抽出して、ゲートウェイ１に配信する。
【００６９】
ここで、広告ＤＢ４６を、図７に基づき説明する。広告ＤＢ４６は、広告データを一意に示す広告ＩＤをキーとして、広告ファイル及びリンク先のＷｅｂページの情報を格納するデータベースである。
【００７０】
広告ＤＢ４６は、広告ＩＤ４６ａ、広告ファイル４６ｂ及びリンク先情報４６ｃを有する。広告ＩＤ４６ａには、広告データを一意に示す識別番号である広告ＩＤが格納される。広告ファイル４６ｂには、情報家電７の表示部８に表示される広告データが格納される。ファイルには、画像のファイル形式であるＧＩＦ（Ｇｒａｐｈｉｃ  Ｉｎｔｅｒｃｈａｎｇｅ  Ｆｏｒｍａｔ）ファイルや、動画のファイル形式であるＷＭＡ（Ｗｉｎｄｏｗｓ  Ｍｅｄｉａ（登録商標）  Ａｕｄｉｏ）ファイル等のファイル形式のデータが格納されてよい。リンク先情報４６ｃには、表示部８に表示された広告をユーザが選択した際に表示されるリンク先のＷｅｂページのアドレスであるＵＲＬ（Ｕｎｉｆｏｒｍ  Ｒｅｓｏｕｒｃｅ  Ｌｏｃａｔｏｒ）が格納される。
【００７１】
図４に戻ってＳ１８０：ゲートウェイ１の広告データ受信部１４は、広告配信サーバ２から配信された広告データを受信する。
【００７２】
Ｓ１９０：ゲートウェイ１の広告データ送信部１５は、プロトコル変換の後、広告データを情報家電７に送信する。具体的には、例えば、ゲートウェイ１の記憶部２０の一時記憶領域２２に操作信号が送信された情報家電７を記憶しておくことで実現できる。
【００７３】
Ｓ２００：情報家電７の制御部５０は、通信部５２を介して広告データを受信する。
【００７４】
Ｓ２１０：情報家電７の制御部５０は、受信した広告データを表示部８に表示させる。
【００７５】
第１実施形態によれば、ユーザによる情報家電７に対する操作に応じて、情報家電７から操作信号が送信されることにより、ゲートウェイ１は、広告配信サーバ２に広告データの送信を依頼する。そして、ゲートウェイ１は、広告配信サーバ２から受信した広告データを該当の情報家電７に送信することで、情報家電７の表示部８には、操作に応じてリアルタイムにユーザに有益な広告を表示することができる。
【００７６】
なお、上述では、ユーザによる操作がされた情報家電７に対して広告データを送信したが、ユーザによる操作がされた情報家電７と、広告データを送信する情報家電７とは異なってもよい。また、ユーザによる操作がされたと共に、操作信号を送信するのではなく、ユーザによる操作がされたことに応じて、情報家電７が動作し、その情報家電７の動作が終了した際に、送信される操作信号を用いてもよい。例えば、洗濯機７Ｄ（図１参照）にユーザが洗濯の開始の操作をした場合、洗濯機７Ｄにおいて洗濯が終了すると、洗濯機７Ｄから洗濯が終了した旨の操作信号が送信されてよい。
【００７７】
また、図８に示すように、洗濯機７Ｄから操作信号が送信された場合、ゲートウェイ１は広告データをテレビ７Ａに送信し、電源がオンであるテレビ７Ａのディスプレイ８Ａ（図８（ａ））に、洗濯が終了した旨のメッセージ６１を表示すると共に、メッセージ６１の中に広告データ６２を表示してもよい（図８（ｂ））。その際、アラーム音を出力してもよい。また、ユーザにより「詳細確認」が選択されることで、図８（ｃ）に示すような詳細画面をディスプレイ８Ａに表示してもよい。さらに、ユーザにより「ＡＡＡ」の広告データ６２が選択されることで、図８（ｄ）に示すような広告のＷｅｂページをディスプレイ８Ａに表示してもよい。
【００７８】
［広告データの表示例］
図９は、第１実施形態に係る広告データの表示例を示す。
【００７９】
図９（ａ）は、エアコンや照明器具といった、それ自体に表示部を有さない情報家電の場合の例である。その場合には、例えば、ネットＴＶ端末（テレビ７Ａ）にウィンドウを表示して、ユーザの操作により発生した事象と共に、関連する広告データを表示する。広告データを選択することで、上述の図８に示すような詳細をブラウザ画面上に表示することができる。
【００８０】
図９（ｂ）は、冷蔵庫７Ｂの表示部８Ｂに広告データが表示される例であり、図９（ｃ）は、オーディオ７Ｃの表示部８Ｃに広告データが表示される例である。どちらも、情報家電７が表示部８を有するので、その表示部８にユーザが操作したことに応じて広告データを表示する。図９（ｂ）の例は、表示部８Ｂにスーパーの本日の目玉商品が表示される例であるが、ユーザによる送りボタン６５の選択により、さらなる目玉商品を表示するようにしてもよい。また、図９（ｃ）の例は、表示部８Ｃに新しい音楽の広告が表示される例であるが、ユーザにより、広告の表示に基づいてオーディオに音楽をダウンロードしてもよい。
【００８１】
（第２実施形態）
第１実施形態では、ゲートウェイが情報家電から操作信号を受信した場合に、広告配信サーバにその情報が送信されることで、リアルタイムで広告データをゲートウェイに送信するものを説明した。第２実施形態では、予め広告配信サーバからゲートウェイに広告データを送信しておくことで、ゲートウェイの記憶部に広告データを記憶しておき、情報家電からの操作信号の受信に伴い、記憶部に記憶された広告データを情報家電に送信するものである。
【００８２】
なお、以下の説明において、上述した第１実施形態と同様の機能を果たす部分には、同一の符号又は末尾に同一の符号を付して、重複する説明を適宜省略する。
【００８３】
［広告配信システム２００の各装置の機能構成］
図１０は、第２実施形態に係る広告配信システム２００の各装置の機能構成を示す図である。
【００８４】
ゲートウェイ２０１は、制御部２１０と記憶部２２０とを備える。制御部２１０は、操作信号受信部１１と、広告データ抽出部２１６と、広告データ送信部１５とを備える。広告データ抽出部２１６は、後述する広告データ記憶部２２３から該当の広告データを抽出する機能を有する。また、記憶部２２０は、ゲートウェイプログラム２１と一時記憶領域２２と広告データ記憶部２２３とを備える。広告データ記憶部２２３は、所定のタイミングで広告配信サーバ２０２から受信した広告データを記憶するものである。
【００８５】
広告配信サーバ２０２は、制御部２３０と記憶部４０とを備える。制御部２３０は、広告データ要求信号受信部２３５と、要求データ抽出部２３６と、要求データ配信部２３７とを備える。広告データ要求信号受信部２３５は、通信ネットワーク３を介してゲートウェイ２０１から広告データの要求信号を受信する。要求データ抽出部２３６は、機器情報ＤＢ４２により、要求信号に含む機器ＩＤから所定の機器を特定し、配信条件ＤＢ４４及び広告ＤＢ４６から該当のデータを抽出する。要求データ配信部２３７は、抽出したデータを、通信ネットワーク３を介してゲートウェイ２０１に配信する。
【００８６】
［広告データ収集処理のフローチャート］
図１１は、第２実施形態に係る広告データ収集処理のフローチャートである。図１２は、第２実施形態に係る広告データ記憶部２２３を示す図である。
【００８７】
図１１のＳ３００：ゲートウェイ２０１の制御部２１０は、所定の時間が経過したか否かを判断する。所定の時間は、ゲートウェイ２０１の記憶部２２０に、広告データの収集のための間隔が予め記憶されており、例えば、ゲートウェイ２０１が有するタイマと比較して、その時間が経過したか否かを判断する。所定の時間が経過した場合（Ｓ３００：ＹＥＳ）には、Ｓ３１０に進む。所定の時間が経過していない場合（Ｓ３００：ＮＯ）には、Ｓ３００にとどまり、所定の時間が経過するのを待つ。
【００８８】
Ｓ３１０：ゲートウェイ２０１の制御部２１０は、広告配信サーバ２０２にゲートウェイ２０１が通信可能な情報家電７の機器ＩＤと共に、広告データの要求を送信する。その際、広告データの要求には、ゲートウェイ２０１に家庭内ネットワーク５で通信可能な情報家電７の機器ＩＤを含む。
【００８９】
Ｓ３２０：広告配信サーバ２０２の広告データ要求信号受信部２３５は、ゲートウェイ２０１から広告データの要求を受信する。
【００９０】
Ｓ３３０：広告配信サーバ２０２の要求データ抽出部２３６は、機器情報ＤＢ４２から所定の機器を選択し、条件に合致する配信条件ＤＢ４４及び広告ＤＢ４６のデータを抽出する。
【００９１】
Ｓ３４０：広告配信サーバ２０２の要求データ配信部２３７は、配信条件ＤＢ４４及び広告ＤＢ４６のデータをゲートウェイ２０１に配信する。
【００９２】
Ｓ３５０：ゲートウェイ２０１の制御部２１０は、広告配信サーバ２０２から配信条件ＤＢ４４及び広告ＤＢ４６のデータを受信する。
【００９３】
Ｓ３６０：ゲートウェイ２０１の制御部２１０は、広告データ記憶部２２３に広告配信サーバ２０２から受信したデータを記憶する。
【００９４】
ここで、図１２は、広告データ記憶部２２３の内容を示す。広告データ記憶部２２３は、配信条件を格納する配信条件テーブル２２３Ａと、広告データを格納する広告テーブル２２３Ｂとを有する。配信条件テーブル２２３Ａには、広告配信サーバ２０２から受信した配信条件のデータを格納する。また、広告テーブル２２３Ｂには、広告配信サーバ２０２から受信した広告データを格納する。図６（ｂ）の配信条件ＤＢ４４と図１２（ａ）の配信条件テーブル２２３Ａとを比較すると、広告ＩＤが「Ｃ００６」のデータが存在しない。これは、ゲートウェイ２０１と家庭内ネットワーク５を介して接続された情報家電７に「ワインセラー」が存在しないためである。
【００９５】
［広告配信処理のフローチャート］
図１３は、第２実施形態に係る広告配信処理のフローチャートである。なお、Ｓ４００からＳ４２０は、図４のＳ１００からＳ１２０と同様である。また、Ｓ４６０以降は、図４のＳ２００以降と同様である。
【００９６】
Ｓ４３０：ゲートウェイ２０１の制御部２１０は、受信した操作信号から機器ＩＤを特定する。
【００９７】
Ｓ４４０：ゲートウェイ２０１の広告データ抽出部２１６は、広告データ記憶部２２３に記憶された広告データから、条件に合致した広告データを抽出する。
【００９８】
Ｓ４５０：ゲートウェイ２０１の広告データ送信部１５は、抽出した広告データを情報家電７に送信する。
【００９９】
第２実施形態によれば、予め広告データを広告配信サーバ２０２から受信して、ゲートウェイ２０１に記憶しておくので、ユーザによる情報家電７の操作の都度、広告配信サーバ２０２に広告データの送信要求を行うことがない。そのため、より迅速に情報家電７に広告データを送信することができる。また、通信ネットワーク３に対するトラフィックを軽減できる。
【０１００】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【０１０１】
（変形形態）
第１及び第２実施形態では、ＵＰｎＰを利用したものとして説明したが、これに限られない。情報家電を操作した際等の内部状態に変化が生じた場合に、信号を発信するような同様の機能を有する他の規格を用いてもよい。
【０１０２】
また、第１及び第２実施形態では、広告データを複数種類有していないものであったが、画面の大きさや画素数に応じて広告データを選択できるように、広告データを複数種類有していてもよい。このようにすることで、機器情報ＤＢに格納された画面の大きさや画素数を考慮して、広告データを選択することができる。
【図面の簡単な説明】
【０１０３】
【図１】第１実施形態に係る広告配信システムの全体構成を示す図である。
【図２】第１実施形態に係る広告配信システムの各装置の機能構成を示す図である。
【図３】第１実施形態に係るゲートウェイのハードウェア構成を示す図である。
【図４】第１実施形態に係る広告配信処理のフローチャートである。
【図５】第１実施形態に係るＧＥＮＡによるＵＰｎＰのデバイス変更通知の例を示す図である。
【図６】第１実施形態に係る機器情報ＤＢ及び配信条件ＤＢを示す図である。
【図７】第１実施形態に係る広告ＤＢを示す図である。
【図８】第１実施形態に係る広告データの表示例を示す図である。
【図９】第１実施形態に係る広告データの表示例を示す図である。
【図１０】第２実施形態に係る広告配信システムの各装置の機能構成を示す図である。
【図１１】第２実施形態に係る広告データ収集処理のフローチャートである。
【図１２】第２実施形態に係る広告データ記憶部を示す図である。
【図１３】第２実施形態に係る広告配信処理のフローチャートである。
【符号の説明】
【０１０４】
１，２０１  ゲートウェイ
２，２０２  広告配信サーバ
３      通信ネットワーク
５      家庭内ネットワーク
７      情報家電
８      表示部
１０，２１０  制御部
１１    操作信号受信部
１２    機器操作情報作成部
１３    機器操作情報送信部
１４    広告データ受信部
１５    広告データ送信部
２０，２２０  記憶部
２１    ゲートウェイプログラム
２１Ａ  プロトコル変換プログラム
３０，２３０  制御部
３１    機器操作情報受信部
３２    配信条件読出部
３３    広告データ配信部
４０    記憶部
４２    機器情報ＤＢ
４４    配信条件ＤＢ
４６    広告ＤＢ
５０    制御部
５１    操作部
１００，２００  広告配信システム
２１６  広告データ抽出部
２２３  広告データ記憶部
２３５  広告データ要求信号受信部
２３６  要求データ抽出部
２３７  要求データ配信部
【手続補正３】
【補正対象書類名】図面
【補正対象項目名】図８
【補正方法】変更
【補正の内容】
【図８】
2009258975.tif 000001